(57)【特許請求の範囲】
【請求項１】
多数の障害釘および各種の入賞装置を設置してなる遊技盤が前面に設けられているとともに、その遊技盤面上に、駆動装置により所定のタイミングでメカニカルに作動することによって遊技を演出するメカニカル演出装置が設けられた遊技機であって、
前記メカニカル演出装置が、
前記遊技盤面に対して平行な軸を中心として回動可能に保持された回動部材と、
実質的に不透明で弾性を有するシートによって形成されており、一端縁を前記遊技盤面に固着させ、その端縁と対向する端縁を前記回動部材に固着させた被覆部材とを有しており、
前記回動部材を、前記駆動装置の駆動により回転させた後に、前記被覆部材の弾性により反対方向へ回動させることによって、前記被覆部材を揺動させることを特徴とする遊技機。
【請求項２】
前記駆動装置が、前記遊技盤面に対して平行な軸心を備えたモータであり、その軸心を回転させることにより、軸心から偏心した係合突起を円運動させて所定の位相で前記回動部材と接合させることにより、前記回動部材を所定方向へ一定の角度だけ回動させることを特徴とする請求項１に記載の遊技機。
【発明の詳細な説明】
【技術分野】
【０００１】
本発明は、パチンコ機等の遊技機に関するものである。
【背景技術】
【０００２】
遊技機の一例であるパチンコ機として、図柄始動口に遊技球が入賞した場合に、図柄表示装置において、図柄の変動表示を実行するとともに、制御装置内で大当たり抽選を実施し、その大当たり抽選の結果、大当たりとなった場合に、図柄表示装置に所定の大当たり図柄（たとえば、「７，７，７」）を表示し、大当たり状態を生起させ、大入賞口の開閉扉を所定回数だけ断続的に開成させて、遊技者に多くの賞品球を払い出すもの（所謂、図柄合わせタイプのパチンコ機）が知られている。
【０００３】
また、そのような図柄合わせタイプのパチンコ機の中には、図柄表示装置の周囲等に、スライド、回転、伸縮等の機械的な（メカニカルな）動作を実行可能な演出装置（以下、メカニカル演出装置という）が設けられており、図柄表示装置において所定の態様（たとえば、所謂リーチ変動態様）で図柄の変動表示を実行する際に、所定のタイミングにおいて当該演出装置を作動させて、遊技者の大当たりへの期待感を高揚させるように構成されたものもある。かかるメカニカル演出装置としては、特許文献１の如く、平板状の可動体を、駆動装置の駆動によって、遊技盤面に対して平行な状態を保持させたまま、上下方向に移動させるものが知られている。
【先行技術文献】
【特許文献】
【０００４】
【特許文献１】特開２００９−１９５３４０号公報
【発明の概要】
【発明が解決しようとする課題】
【０００５】
しかしながら、上記特許文献１の如く可動体を遊技盤面に沿ってスライドさせるだけのパチンコ機は、可動体の動きが単純であり、すでに陳腐化したものとなっている。また、遊技盤面に沿って可動体をスライドさせるメカニカル演出装置を設置したパチンコ機においては、遊技者の興味を引くためには、可動体を大きくスライドさせる必要があるが、そのように可動体を大きくスライドさせるためには、遊技盤面上に大きなスペースを確保しなければならない。
【０００６】
本発明の目的は、上記従来のパチンコ機が有する問題点を解消し、メカニカル演出装置の作動が斬新で趣向性が高い上、メカニカル演出装置の設置レイアウトの自由度が大きい実用的な遊技機を提供することにある。
【課題を解決するための手段】
【０００７】
本発明の内、請求項１に記載された発明は、多数の障害釘および各種の入賞装置を設置してなる遊技盤が前面に設けられているとともに、その遊技盤面上に、駆動装置により所定のタイミングでメカニカルに作動することによって遊技を演出するメカニカル演出装置が設けられた遊技機であって、前記メカニカル演出装置が、前記遊技盤面に対して平行な軸を中心として回動可能に保持された回動部材と、実質的に不透明で弾性を有するシートによって形成されており、一端縁を前記遊技盤面に固着させ、その端縁と対向する端縁を前記回動部材に固着させた被覆部材とを有しており、前記回動部材を、前記駆動装置の駆動により回転させた後に、前記被覆部材の弾性により反対方向へ回動させることによって、前記被覆部材を揺動させることを特徴とするものである。
【０００８】
請求項２に記載された発明は、請求項１に記載された発明において、前記駆動装置が、前記遊技盤面に対して平行な軸心を備えたモータであり、その軸心を回転させることにより、軸心から偏心した係合突起を円運動させて所定の位相で前記回動部材と接合させることにより、前記回動部材を所定方向へ一定の角度だけ回動させることを特徴とするものである。
【発明の効果】
【０００９】
請求項１に記載の遊技機は、駆動装置への電源投入により、弾性を有するシートからなる被覆部材が斬新な態様で揺動するので、遊技の趣向性が高く、遊技者の遊技に対する意欲を長期間に亘って高く保持することができる。
【００１０】
請求項２に記載の遊技機は、駆動装置であるモータに電源を投入している間、係合突起の円運動が継続され、回動部材の所定方向への一定の角度の回動と被覆部材の弾性による反対方向への回動とが繰り返されて、被覆部材が斬新な態様での揺動を繰り返すので、遊技の趣向性が一段と高く、遊技者の遊技に対する意欲を非常に長期間に亘って高く保持することができる。
【図面の簡単な説明】
【００１１】
【図１】パチンコ機の正面図である。
【図２】遊技盤の正面図である。
【図３】メカニカル演出装置（被覆部材を取り外した状態）を示す説明図（正面図）である。
【図４】メカニカル演出装置（支持体、モータユニットを除いたもの）を分解して示す説明図（斜視図）である。
【図５】メカニカル演出装置の下側部分（被覆部材を取り外した状態の可動体およびモータユニット）を示す説明図である（ａは正面図であり、ｂは平面図である）。
【図６】カム部材および回動部材の作動状態を示す説明図（平面図）である。
【発明を実施するための形態】
【００１２】
＜遊技機の構成＞
以下、本発明に係る遊技機の一種としてのパチンコ機について、図面にしたがって詳細に説明する。図１は、本発明に係るパチンコ機を示したものであり、パチンコ機１は、周囲を覆う機枠２の片側縁に、前面枠３が、左端縁を中心として片開き自在に蝶着されている。当該前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。また、前面枠３の中央よりやや上側には、平板状の遊技盤４が設置されており、その遊技盤４の前面には、透明なガラス板を嵌め込んだガラス扉１３が、左端縁を中心として片開き自在に蝶着されている（なお、図１においては、遊技盤４の盤面に設置された各種の部材の記載が省略されている）。
【００１３】
また、図２は、遊技盤４を示したものであり、遊技盤４の表面には、金属製で帯状のガイドレール８が円弧状に立設されており、当該ガイドレール８によって、略円形の遊技領域１０が区画された状態になっている。そして、当該遊技領域１０には、大型遊技部材１１が設置されている。大型遊技部材１１は、中央に矩形の窓部２３を開口してなる枠体（図示せず）が、後方に設置されており、当該枠体の前方に、各種の装飾部材が周状に配置されている。また、枠体の後方には、図柄表示装置（図示せず）が付設されており、その図柄表示装置の液晶画面が、枠体の窓部２３から露出した状態になっている。さらに、枠体の右下方には、所定のタイミングでメカニカルに作動する（駆動装置によって機械的に作動する）メカニカル演出装置３１が設置されている。
【００１４】
また、図２の如く、大型遊技部材１１の窓部２３の下側には、遊技球を転動させるためのステージ２２が形成されている。さらに、大型遊技部材１１の左側には、遊技球を通過可能なゲート９が設けられており、大型遊技部材１１の中央の下側（ステージ２２の下側）には、電動役物ユニット１４が設けられている。当該電動役物ユニット１４には、始動入賞口１５と普通電動役物１６とが設けられており、普通電動役物１６は、上部の開閉体１７，１７が開閉するようになっている。また、電動役物ユニット１４の下側には、大入賞口１８が設置されている。大入賞口１８は、内蔵された作動装置（図示せず）によって、横長な長方形の板状の扉体を片開き（下端縁を軸として片開き）させることができるようになっている。また、遊技領域１０には、大型遊技部材１１や大入賞口１８の他に、表示部材１５、入賞装置２１，２１・・、電飾ランプ、風車等が設置されているとともに、多数の障害釘（図示せず）等が植設されている。
【００１５】
＜メカニカル演出装置の構成＞
図３〜図６は、メカニカル演出装置３１を示したものであり、メカニカル演出装置３１は、第一駆動装置であるソレノイド３３、金属シャフト３４、支持体３２、係着部材３５、カバー部材３６、支持片３８、固着部材３９、保持部材４１、固着体４２、紐支持体４３ａ，４３ｂ、上側補強部材４５、下側補強部材４６、保持体４９、連結部材３７、固定部材４０、回動部材５１、被覆部材４４、布状体４７、紐部材５０、突起形成体４８、第二駆動装置であるモータ３０を組み付けてなるモータユニット５２等によって構成されている。なお、以下のメカニカル演出装置３１の構成および作用の説明においては、パチンコ機１の正面をメカニカル演出装置３１の正面として説明する。
【００１６】
被覆部材４４は、軟質の合成樹脂（シリコーンゴム）製のシートを用い、中央部分を前方に膨出させることにより、女性の片方（左側）の胸部に似た形状（略中空の半球状）に形成されている。また、被覆部材４４の上端際および下端際の部分は、中央部分に比べて、肉厚に形成されている。そして、上端際および下端際の内側には、硬質の合成樹脂（ポリカーボネート）によって形成された上側補強部材４５、下側補強部材４６が貼着（熱融着）されている。さらに、下側補強部材４６の後方には、硬質の合成樹脂（ポリカーボネート）によって形成された支持片３８が螺着されている。
【００１７】
また、被覆部材４４の外側には、女性用の水着の左半分を象った形状に形成された布状体４７が被覆されている。布状体４７は、合成樹脂製の織布を二枚重ねて縫製されており、略三角形状の被覆部６１の上部、下部の左右に、それぞれストリップ６２ａ〜６２ｃが縫着されている。そして、右側のストリップ６２ａの先端は、被覆部材４４の裏側において、下側補強部材４６の右側の上端際に固着された紐支持体４３ａに縫着されており、左側のストリップ６２ｂの先端は、被覆部材４４の裏側において、支持片３８の左側の上端際に固着された紐支持体４３ｂに縫着されている。また、上側のストリップ６２ｃの先端は、被覆部材４４を貫通した状態で固着された保持体４９に縫着されている。
【００１８】
さらに、被覆部材４４の最も前方に膨出した部分の近傍には、金属によって円盤状に形成された突起形成体４８が、裏面に設けられた支柱を被覆部材４４の挿通孔に挿通させた状態で、金属製の固着体４２によって固着されている。そして、当該突起形成体４３によって、布状体４７の被覆部６１の下側の布地の中央部分付近が、被覆部材４４の外側に固定された状態になっている。
【００１９】
一方、支持体３２は、硬質で透明な合成樹脂（ポリカーボネート）によって形成されており、上端際に、上側補強部材４５を固着させるための係着部材３５が螺着されている。当該係着部材３５は、硬質の合成樹脂（ポリカーボネート）によって形成されており、複数の円柱状のリブ６３，６３が、前方へ突出するように設けられている。また、支持体３２の中央の左側には、ソレノイド３３を固定させるための台座６４が前方へ突出するように形成されている。さらに、その台座６４の下側には、左右一つの鉛直な支持壁６５，６５が、前方に突出するように設けられており、それらの支持壁６５，６５の間には、円弧状の水平断面を有する凹状面６６が形成されている。加えて、２つの支持壁６５，６５の下側には、中央部分に軸孔を設けた水平板状の係止壁６７が、前方へ突出するように設けられている。さらに、下端際には、モータユニット５２を固着させるため係合部６８が前方へ突出するように設けられており、当該係合部６８には、回動部材５１を係合させるための挿入孔６９が形成されている。
【００２０】
また、ソレノイド３３は、コイルの外周が金属製の枠体７０によって覆われており、当該コイルに対して軸芯７１が出没自在に設けられている。かかるソレノイド３３は、枠体７０の裏面を支持体３２の台座６４に螺着させた状態で、支持体３２に固定されている。さらに、ソレノイド３３の軸芯７１は、硬質で不透明な合成樹脂（ポリプロピレン）によって形成された連結部材３７によって、長尺な円柱状の金属シャフト３４と連結されている。さらに、当該連結部材３７の左右には、把持翼７２，７２が側方へ突出するように設けられており、それらの把持翼７２，７２の下端には、それぞれ、係止片７３，７３が直交するように設けられている。加えて、連結部材３７の後側の部分は、略円筒状になっており、その円筒状の部分が、支持体３２の凹状面６６の内側に収納された状態になっている。また、連結部材３７の下端には、中央に軸孔を穿設した係止板８６が設けられており、金属シャフト３４は、軸部を係止板８６の軸孔に挿通させ、上端に設けられたフランジを係止板８６に係止させた状態で、連結部材３７に組み込まれており、連結部材３７に対して回転可能になっている。
【００２１】
一方、ソレノイド３３の枠体７０の前面には、硬質で透明な合成樹脂（ポリカーボネート）によって形成されたカバー部材３６が螺着されており、当該カバー部材３６の左右に設けられた規制片７５，７５と、支持体３２の２つの支持壁６５，６５とによって、連結部材３７の左右に突設された把持翼７２，７２が挟持された状態になっている。そして、連結部材３７は、把持翼７２，７２の下端に設けられた係止片７３，７３が、それぞれ、カバー部材３６の左右に設けられた規制片７５，７５の下端と接合することによって上方への移動が規制され、下端面が、支持体３２の係止壁６７と接合することによって下方への移動が規制されるようになっている。
【００２２】
また、保持部材４１は、硬質で透明な合成樹脂（ポリカーボネート）によって形成されており、上端際には、金属シャフト３４をはめ込むための凹状溝７６が設けられており、その凹状溝７６の外側には、ネジボス７７，７７・・が突設されている。また、それらのネジボス７７，７７・・の下側には、下側補強部材４６および支持片３８を螺着するための螺着ボス７８，７８が前方に突出するように設けられている。加えて、下端には、回動部材５１を螺着するための円柱状の螺着体７９が下向きに突出するように設けられており、その螺着体７９と隣接した部分には、回転防止ピン８０が下向きに突出するように設けられている（図３参照）。
【００２３】
一方、回動部材５１は、硬質で不透明な合成樹脂（ポリプロピレン）によって形成されており、上端面にピン挿通孔８１が穿設されており、そのピン挿通孔８１と隣接した部分には、ボス挿通孔８２が穿設されている。また、ボス挿通孔８２の穿設部分の外側には、断面Ｕ字状の係合片８３が側方へ突出するように設けられている。さらに、ピン挿通孔８１の穿設部分の下側には、水平板状の支持アーム８４が、係合片８３と反対方向へ突出するように設けられており、その支持アーム８４の先端の下面には、略円柱状の係合筒状部８５が下向きに突出するように設けられている。
【００２４】
そして、当該回動部材５１は、ピン挿通孔８１、ボス挿通孔８２に、それぞれ、保持部材４１の回転防止ピン８０、螺着体７９を挿通させた状態で、螺着体７９の挿通部分をネジ止めすることによって、保持部材４１の下端に、保持部材４１に対して回転しないように固着されている。また、下端の係合筒状部８５が、支持体３２の下端の係合部６８の挿入孔６９に挿入された状態になっており、係合部６８に対して回動可能になっている。なお、係合筒状部８５の軸心は、ソレノイド３３の軸芯７１と一致した状態になっている。また、係合筒状部８５は、挿入孔６９内において、所定の長さ（連結部材３７の上下動の長さ）だけ上下動することができるようになっている。
【００２５】
加えて、支持体３２の係合部６８には、モータユニット５２が固着されている。モータユニット５２は、硬質の合成樹脂によって形成されたハウジング５４、カム部材５５、第二駆動装置であるモータ５６、硬質の合成樹脂によって形成された駆動歯車５６、駆動歯車５６より大径の従動歯車５７、駆動歯車５６と略同径の作動歯車５８、検知センサ５９等によって組み付け形成されている。ハウジング５４は、上下に平行に配置された２つの板状の部材によって構成されており、上側の板状部材の中央よりやや右側には、カム部材５５を嵌め込むための作動孔６０が刻設されている。そして、ハウジング５４の上下の部材は、駆動歯車５６、従動歯車５７、作動歯車５８を一列に噛合させた状態で螺着されている。また、カム部材５５は、円板状の支持板８７の上面の周縁際に、略円柱状の係合突起８８が上向きに突設されている。当該カム部材５５は、作動歯車５８に螺着された状態で、作動孔６０の内側に配置された状態になっている。また、作動歯車５８の外面には、平板状の検知翼８９が側方へ突出するように設けられている。
【００２６】
かかるモータユニット５２は、モータ３０の軸心５３が回転して、当該軸心５３に固着された駆動歯車５６が回転すると、その回転力が従動歯車５７を介して作動歯車５８に伝達され、作動歯車５８に螺着されたカム部材５５が回転し、係合突起８８が作動孔６０内で円弧状（平面視）に移動するようになっている。なお、その係合突起８８の回転領域内に、回動部材５１の係合片８３が入り込んだ状態になっている。また、作動歯車５８が所定の位相に達すると、検知センサ５９が作動歯車５８の周面に突設された検知翼８９を検知するようになっている。
【００２７】
上記の如く、ソレノイド３３、被覆部材４４、モータユニット５２等を一体的に組み付けてなる支持体３２は、図２の如く、大型遊技部材１１の枠体（図示せず）の右下方の前面に螺着されている。また、被覆部材４４の下端際（回動部材５１の設置部分）、および、モータユニット５２の前方に、装飾体１９が設置されており、当該装飾体１９によって、被覆部材４４の下端際およびモータユニット５２が、遊技者から見えないようになっている。
【００２８】
＜遊技機の作動内容＞
上記の如く構成されたパチンコ機１においては、発射ハンドル７の回動操作によって発射装置（図示せず）から遊技球が発射され、発射された遊技球が始動入賞口１５に入賞した場合に、内部に設置された制御装置（図示せず）において大当たり抽選（乱数の選択）が実行され、大当たり抽選の結果、「大当たり」になった場合には、「大当たり状態」が生起する。また、遊技球が始動入賞口１５に入賞する毎に、上記大当たり抽選と同時に、図柄の変動態様の抽選が実行され、制御装置の記憶手段に記憶された複数の変動態様（ノーマル変動態様、ショートリーチ変動態様（たとえば、１５秒間の変動態様）、ロングリーチ変動態様（たとえば、３０秒間の変動態様）、超ロングリーチ変動態様（たとえば、４５秒間の変動態様）等）の中から一つの変動態様が選択され、当該変動態様に基づいて、図柄表示装置（図示せず）において所定の時間だけ図柄の変動表示を実行する。そして、当該変動表示の後に「大当たり図柄」あるいは「はずれ図柄」を表示することによって大当たり抽選の結果を表示する。
【００２９】
また、「大当たり状態」においては、大入賞口１８の扉体が所定回数だけ断続的に開成する。したがって、遊技者は、「大当たり」が発生した場合には、多くの遊技球を大入賞口１８に入賞させることによって、多くの賞品球を獲得することができる。
【００３０】
＜メカニカル演出装置の作動内容＞
パチンコ機１においては、上記の如く、遊技球が始動入賞口１５に入賞する毎に、図柄の変動態様の抽選を実行するが、所定の変動態様（たとえば、ショートリーチ変動態様）が選択された場合には、所定のタイミングで、メカニカル演出装置３１のソレノイド３３に断続的に電源が投入される。
【００３１】
上記の如く、ソレノイドの軸芯７１は、連結部材３７によって金属シャフト３４と一体になっており、当該金属シャフト３４は、固着部材３９によって保持部材４１に固着されており、当該保持部材４１は、支持片３８、下側補強部材４６、被覆部材４４の下側に固着されている。一方、金属シャフト３４およびその金属シャフト３４と一体になった部材や部分（以下、可動体Ｍという）は、支持体３２には固着されていない。加えて、被覆部材４４の上部は、上側補強部材４５、係着部材３５によって、支持体３２に固着されている。また、ソレノイド３３の軸芯７１と金属シャフト３４とを連結した連結部材３７は、各係止片７３，７３がカバー部材３６の左右の規制片７５，７５の下端と接合する位置（上端位置）から、下端面が支持体３２の係止壁６７と接合する位置（下端位置）まで移動可能になっている。
【００３２】
それゆえ、ソレノイド３３に断続的に電源が投入されると、軸芯７１は、所定の長さの上下動を繰り返し、当該上下動に伴って可動体Ｍが上下動する。そのように可動体Ｍが上下動すると、弾性を有する中空半球状の被覆部材４４が、左右の幅を断続的に変化させるように上下に揺動する。かかる上下の揺動によって、女性の胸部が上下動しているかの如き印象を、遊技者に提供することできる。
【００３３】
また、所定の変動態様（たとえば、ロングリーチ変動態様）が選択された場合には、所定のタイミングで、所定の時間だけ、メカニカル演出装置３１のモータ３０に電源が投入され、カム部材５５が所定の方向（反時計回り）に回転する。図６は、カム部材５５の係合突起８８、および、当該係合突起８８に係合した回動部材５１の作動状態を示したものであり、カム部材５５が回転すると、カム部材５５の係合突起８８が円弧を描くように回転する。そのように係合突起８８が回転する際に、図６（ａ）の如く、係合突起８８が所定の範囲（β〜α）に位置している場合には、係合突起８８と接触しないが、係合突起８８が所定の位置（α）まで達すると、回動部材５１（係合片８３）と接触し、図６（ｃ）の如く、係合突起８８が所定の位置（β）に至るまで、回動部材５１との係合状態が保持される。そして、係合突起８８が所定の位置（β）を過ぎると、図６（ｄ）の如く、回動部材５１との係合状態が解除される。
【００３４】
上記の如く、金属シャフト３４は、連結部材３７に対して回転可能になっており、保持部材４１の下端に固着された回動部材５１は、支持体３２に対して回転可能（回動可能）になっている。そのため、係合突起８８が回動部材５１と接触すると、図６（ｂ）〜図６（ｃ）の如く、可動体Ｍ（金属シャフト３４、保持部材４１、固着部材３９、支持片３８、下側補強部材４６、および、被覆部材４４の下側部分等）が、所定の方向（時計回り）に回動する。そして、そのように被覆部材４４の下側部分が回動すると、被覆部材４４の弾性によって、可動体Ｍに、元の位置（図６（ａ）の位置）に戻ろうとする復元力が作用する。
【００３５】
そして、図６（ｄ）の如く、係合突起８８が所定の位置（β）を過ぎて回動部材５１との係合状態が解除されると、被覆部材４４の弾性による復元力によって、可動体Ｍは、元の位置（図６（ａ）の位置）に戻るように所定の方向と逆方向（時計回り）に回転する。そのように可動体Ｍが回転する際には、被覆部材４４の弾性によって、可動体Ｍは、次第に回転幅（振幅）を小さくするように揺動して（正回転、逆回転を繰り返して）元の位置（被覆部材４４の弾性による復元力が最小となる図６（ａ）の位置）に復帰する。かかる揺動によって、女性の胸部が左右に揺れているかの如き印象を、遊技者に提供することできる。そして、所定の時間だけ、モータ３０が回転することによって、可動体Ｍの断続的な揺動（正回転、逆回転）が所定回数（たとえば、１０回）だけ繰り返される。
【００３６】
さらに、所定の変動態様（たとえば、超ロングリーチ変動態様）が選択された場合には、上記したソレノイド３３による可動体Ｍの上下動と、上記したモータ３０による被覆部材４４の回転動（正回転、逆回転）を一緒に実行する。すなわち、モータ３０の駆動によりカム部材５５が回転して係合突起８８が所定の位置（β）を過ぎたタイミングで、ソレノイド３３に所定回数（たとえば、２回）だけ断続的に電源が投入されて、可動体Ｍが上下動して停止する、という動作を、所定回数（たとえば、１５回）だけ繰り返す。かかる可動体Ｍの上下動、回転動に伴う被覆部材４４の下部の上下、左右の揺動によって、女性の胸部が左右、上下に激しく揺れているかの如き印象を、遊技者に提供することできる。
【００３７】
＜遊技機の効果＞
パチンコ機１は、上記の如く、メカニカル演出装置３１が、遊技盤面に対して平行な軸を中心として回動可能に保持された回動部材５１と、実質的に不透明で弾性を有するシートによって形成されており、一端縁（上端）を遊技盤４の盤面に固着させ、その端縁と対向する端縁（下端）を回動部材５１に固着させた被覆部材４４とを有しており、回動部材５１を、第二駆動装置（モータ３０）の駆動により回転させた後に、被覆部材４４の弾性により反対方向へ回動させることによって、被覆部材４４を揺動させるものである。したがって、第二駆動装置の電源投入により、弾性を有するシートからなる被覆部材４４が斬新な態様で揺動するので、遊技の趣向性が高く、遊技者の遊技に対する意欲を長期間に亘って高く保持することができる。
【００３８】
また、パチンコ機１は、第二駆動装置が、遊技盤４の盤面に対して平行な軸心５３を備えたモータ３０であり、その軸心５３を回転させることにより、軸心５３から偏心した係合突起８８を円運動させて所定の位相で回動部材５１と接合させることにより、回動部材５１を所定方向（時計回り）へ一定の角度（約２０°）だけ回動させるものである。したがって、モータ３０に電源を投入している間、係合突起８８の円運動が継続され、回動部材５１の所定方向への一定の角度の回動と被覆部材４４の弾性による反対方向への回動とが繰り返されて、被覆部材４４が斬新な態様での揺動を繰り返すので、遊技の趣向性が一段と高く、遊技者の遊技に対する意欲を非常に長期間に亘って高く保持することができる。
【００３９】
さらに、パチンコ機１は、ソレノイド３３による被覆部材４４の下部の上下の揺動と、モータ３０による被覆部材４４の下部の左右の揺動とを同一のタイミングで実行するため、遊技内容が非常にエキサイティングであり、遊技者の遊技に対する意欲をきわめて長期間に亘って高く保持することができる。
【００４０】
＜遊技機の変更例＞
本発明に係る遊技機の構成は、上記実施形態の態様に何ら限定されるものではなく、機枠、前面枠、遊技盤、供給皿、貯留皿、発射ハンドル、図柄表示装置、入賞装置、電動役物ユニット、大型遊技部材、メカニカル演出装置（第一駆動装置、第二駆動装置、被覆部材、回動部材）等の形状、構造、材質等の構成を、本発明の趣旨を逸脱しない範囲で適宜変更することができる。
【００４１】
たとえば、メカニカル演出装置は、上記実施形態の如く、被覆部材で覆われたソレノイドによって被覆部材の下端を上下動させるものに限定されず、被覆部材で覆われたソレノイドによって被覆部材の膨出部分を前後動させるもの等に変更することも可能である。
【００４２】
また、メカニカル演出装置は、上記実施形態の如く、ソレノイドによって可動体を上下に揺動させるものに限定されず、ステッピングモータ等の別の駆動装置によって可動体を上下に揺動させるものに変更することも可能である。加えて、メカニカル演出装置は、上記実施形態の如く、モータによって可動体（すなわち、被覆部材の片端）を左右に揺動動させるものに限定されず、ソレノイド等の別の駆動装置によって可動体を左右に揺動させるものに変更することも可能である。
【００４３】
また、メカニカル演出装置を、ソレノイドによって被覆部材の下部を上下に揺動させるものとする場合には、上記実施形態の如く、ソレノイドを被覆部材の後方に位置させたものに限定されず、ソレノイドを被覆部材の上方に位置させて、ソレノイドの軸芯と連結された長尺なシャフトの先端を被覆部材の内面に係合（固定）させたもの等に変更することも可能である（なお、かかる構成を採用した場合には、ソレノイドの軸芯と連結されたシャフトが可動部材として機能することになる）。
【００４４】
一方、被覆部材の形成材料は、シリコーンゴムに限定されず、必要に応じて、適宜変更することができる。しかしながら、被覆部材の形成材料をシリコーンゴムとした場合には、可動体の揺動がより女性の胸部の動きと似たものとなり、遊技機の趣向性が一段と高いものとなる、というメリットがある。
【００４５】
また、遊技機は、上記実施形態の如く、ショートリーチ変動態様を選択した場合に、可動体を上下動させ、ロングリーチ変動態様を選択した場合に、可動体を回転動させ、超ロングリーチ変動態様を選択した場合に、可動体の上下動と可動体の回転動を一緒に実行するものに限定されず、可動体を上下動や回転動を、上記実施形態とは異なるタイミングで実行するものに変更することも可能である。
【００４６】
加えて、遊技機は、被覆部材の上下、左右への揺動に合わせて、図柄表示装置等に文字、メッセージや所定の動画を表示するものや、供給皿や発射ハンドル等に設置された作動スイッチを操作した場合に、可動体が上下動したり、可動体が回転動したりするものに変更することも可能である。
【符号の説明】
【００４７】
１・・パチンコ機
４・・遊技盤
３０・・モータ（第二駆動装置）
３１・・メカニカル演出装置
４４・・被覆部材
５１・・回動部材
Ｍ・・可動体（可動部材）
【図１】
0005849258.tif 000002
【図２】
0005849258.tif 000003
【図３】
0005849258.tif 000004
【図４】
0005849258.tif 000005
【図５】
0005849258.tif 000006
【図６】
0005849258.tif 000007